(57)【要約】【課題】回路規模の複雑化や回路規模の増大を抑制しつつ、全陽極データ黒時、陰極リセット法やスキャンを未実施にする制御が可能となり、不要な寄生容量のプリチャージを防止でき、擬似発光を無くし、且つ消費電力の削減が可能となる。【解決手段】表示パネルの駆動装置は、複数の陽極線ＣＬと複数の走査線ＲＬとの各交点にＥＬ素子４１が接続された表示パネル４０に対して、陽極ドライバ５０と陰極ドライバ６０が接続されている。選択された陰極線ＲＬに接続されたＥＬ素子４１の寄生容量をプリチャージする工程において、「０」検出手段７０ａにより、複数の陽極線ＣＬの全てのデータがゼロであることを検出すると、この検出結果に基づき、制御手段８４ａにより、選択された陰極線ＲＬを含め、陰極線ＲＬの走査時間の間、陰極線ＲＬの全てを“Ｈ”に切り替える。【選択図】図１
2008275733.tif 000002
【特許請求の範囲】
【請求項１】
複数のデータ線と複数の走査線との各交点に表示素子が接続された表示パネルに対して、データ線駆動回路の出力電圧を前記データ線に印加すると共に、走査線駆動回路において前記走査線を高電位レベルから低電位レベルに切り替え、前記データ線から前記表示素子を介して前記走査線に駆動電流を流すことにより、前記表示素子を点灯させる表示パネルの駆動方法であって、
選択された前記走査線に接続された前記表示素子の寄生容量をプリチャージする工程において、前記複数のデータ線の全てのデータがゼロであることを検出すると、選択された前記走査線も含め、前記走査線の走査時間の間、前記走査線の全てを前記高電位レベルに切り替えることを特徴とする表示パネルの駆動方法。
【請求項２】
複数のデータ線と複数の走査線との各交点に表示素子が接続された表示パネルに対して、前記表示素子の点灯時には、前記データ線に出力電圧を印加して前記表示素子に駆動電流を流し、前記表示素子の非点灯時には、前記データ線を低電位端子に切り替え接続するデータ線駆動回路と、
前記走査線の選択時には、前記走査線を高電位レベルから低電位レベルに切り替え、前記走査線の非選択時には、前記走査線を前記低電位レベルから前記高電位レベルに切り替える走査線駆動回路と、
選択された前記走査線に接続された前記表示素子の寄生容量をプリチャージする工程において、前記複数のデータ線の全てのデータがゼロであることを検出する検出手段と、
前記プリチャージする工程において、前記検出手段の検出結果に基づき、選択された前記走査線を含め、前記走査線の走査時間の間、前記走査線の全てを前記高電位レベルに切り替える制御手段と、
を有することを特徴とする表示パネルの駆動装置。
【請求項３】
前記表示素子は、有機エレクトロルミネッセンス素子を含む発光素子であることを特徴とする請求項１記載の表示パネルの駆動方法。
【請求項４】
前記表示素子は、有機エレクトロルミネッセンス素子を含む発光素子であることを特徴とする請求項２記載の表示パネルの駆動装置。
【発明の詳細な説明】
【技術分野】
【０００１】
本発明は、自発光素子である有機エレクトロルミネッセンス素子（以下単に「ＥＬ素子」という。）等の発光素子を用いた表示パネルの駆動方法及びその駆動装置に関し、特に、陰極線（これを「走査線」ともいう。）に接続された発光素子の寄生容量に対するプルチャージ方法における陰極線の走査（スキャン、これを「陰極掃引」ともいう。）に関するものである。
【背景技術】
【０００２】
従来、ＥＬ素子等の発光素子を用いた表示パネルの駆動方法あるいは駆動装置に関する技術としては、例えば、次のような文献に記載されるものがあった。
【０００３】
【特許文献１】特開２００５−１５６８５９号公報
【特許文献２】特開２００５−１０７００４号公報
【０００４】
特許文献１には、自発光表示パネルの駆動装置及び駆動方法の技術が記載されている。この自発光表示パネルの駆動装置は、複数の陽極線（これを「データ線」ともいう。）及び複数の陰極線（これを「走査線」ともいう。）の各交差位置に発光素子を配し、走査対象となる陰極線に対応する前記発光素子に対して前記陽極線を介して電流源から選択的に駆動電流を供給するパッシブ駆動型表示パネルの駆動装置であって、前記電流源は、発光素子の寄生容量を充電する定電流を発光素子に供給するプリチャージ電流供給手段と、発光素子を発光駆動させる定電流を発光素子に供給する駆動電流供給手段とを備えている。そして、プリチャージ電流供給手段から供給される定電流により、素子間電圧値が発光閾値Ｖｔｈまで昇圧した発光素子を、駆動電流供給手段から供給される定電流により発光駆動する構成になっている。これにより、回路規模の増大を抑えると共に、発光素子へのプリチャージを効率的に行い、発光素子の発光可能時間を確保することにより、正確に階調表現することが記載されている。
【０００５】
又、特許文献２には、発光表示パネルの駆動装置及び駆動方法の技術が記載されている。この発光表示パネルの駆動装置は、発光表示パネルと、これを駆動するソースドライバ及びゲートドライバと、これらのソースドライバ及びゲートドライバを制御するコントローラとを備えている。この構成において、１走査期間、１フレーム期間、もしくは複数フレーム期間にわたって、全ての映像データが例えば非発光（データ「０」）である場合には、コントローラよりソースドライバに対して信号ラインを介してオールゼロの通知がされる。これにより、ソースドライバにおいては、発光表示パネルに配列された各画素に対して強制的に黒データを出力する。一方、コントローラよりソースドライバに供給されるタイミング信号等が停止され、ソースドライバは駆動停止状態にされる。このソースドライバの駆動が停止されてもゲートドライバが走査を実行するので、ソースドライバからの黒データの出力により、画素は黒表示される。このように、比較的高い駆動電圧で高速動作するソースドライバの駆動が一時的に停止されるので、低消費電力化が実現できることが記載されている。
【０００６】
図２は、特許文献１等に記載された従来のパッシブ駆動型表示パネルの駆動装置における構成例を示す概略の回路図である。
【０００７】
パッシブ駆動型表示パネル１０は、複数の陽極線ＣＬ（＝ＣＬ０，ＣＬ１，ＣＬ２，・・・，ＣＬｍ）と複数の陰極線ＲＬ（＝ＲＬ０，ＲＬ１，ＲＬ２，・・・，ＲＬｎ）とがマトリクス状に配置され、その各交点位置に自発光素子である例えばＥＬ素子１１（＝１１−００，１１−０１，・・・）がそれぞれ接続されている。ＥＬ素子１１は、電気的にダイオード成分からなる発光エレメントＥと、この発光エレメントＥに並列に結合する寄生容量Ｃｐとによる等価回路構成に置換できる容量性の発光素子である。
【０００８】
このような表示パネル１０において、例えば、陽極線ＣＬをデータ線とし、陰極線ＲＬを走査線とした場合、これらを駆動（ドライブ）する駆動装置は、陽極ドライバ２０と陰極ドライバ３０を備えている。
【０００９】
陽極ドライバ２０は、電源電圧Ｖ１が印加されて動作する駆動源である複数の定電流源２１（＝２１−０，２１−１，２１−２，・・・，２１−ｍ）と、各陽極線ＣＬを選択する複数のドライブスイッチ２２（＝２２−０，２２−１，２２−２，・・・，２２−ｍ）とを有している。各ドライブスイッチ２２は、図示しない発光制御回路により、陽極線ＣＬと定電流源２１又はグランド（以下「ＧＮＤ」という。）とを切り替え接続する。陰極ドライバ３０は、各陰極線ＲＬを順に走査する複数の走査スイッチ３１（＝３１−０，３１−１，３１−２，・・・，３１−ｎ）を有し、各走査スイッチ３１は、図示しない発光制御回路により、各陰極線ＲＬと逆バイアス電圧Ｖ２又はＧＮＤとを切り替え接続する。
【００１０】
このような駆動装置において、図示しない発光制御回路により、陰極線ＲＬが一定の時間間隔で順次選択されて走査されると共に、この走査に同期して定電流源２１から供給される定電流により陽極線ＣＬが駆動され、任意の交点位置のＥＬ素子１１が発光する。
【００１１】
例えば、陽極線ＣＬ０及び陰極線ＲＬ０の交点位置のＥＬ素子１１−００を発光させる場合、先ず、走査スイッチ３１−０がＧＮＤ側に切り替えられ、陰極線ＲＬ０が走査される。一方、陽極線ＣＬ０には、ドライブスイッチ２２−０によって定電流源２１−０が接続される。又、他の陰極線ＲＬ１，ＲＬ２，・・・には、走査スイッチ３１−１，３１−２，・・・により逆バイアス電圧Ｖ２が印加されると共に、他の陽極線ＣＬ１，ＣＬ２，・・・が、ドライブスイッチ２２−１，２２−２，・・・によりＧＮＤ側に接続される。これにより、ＥＬ素子１１−００のみが順方向にバイアスされて発光し、他のＥＬ素子１１は、定電流源２１−１，２１−２，・・・から定電流が供給されないために発光しない。
【００１２】
ＥＬ素子１１は、発光制御電圧（駆動電圧）が印加されると、先ず、このＥＬ素子１１の電気容量に相当する電荷が電極に変位電流として流れ込み蓄積される。当該素子固有の一定の電圧（発光閾値電圧＝Ｖｔｈ）を越えると、電極（発光エレメントＥのアノード側）から発光層を構成する有機層に電流が流れ初め、この電流（駆動電流）にほぼ比例した強度（輝度）で発光する。
【００１３】
例えば、特許文献１に記載されているように、ＥＬ素子１１の発光静特性としては、次のような（１）、（２）のことが言える。
（１）  ＥＬ素子１１は、駆動電流Ｉにほぼ比例した輝度Ｌｔで発光する。
（２）  ＥＬ素子１１は、駆動電圧Ｖが発光閾値電圧Ｖｔｈ以上の場合において、急激に電流Ｉが流れて発光する。これに対して、駆動電圧Ｖが発光閾値電圧Ｖｔｈ以下の場合には、ＥＬ素子１１には電流が殆ど流れず発光しない。輝度特性は、発光閾値電圧Ｖｔｈより大なる発光可能領域においては、それに印加される駆動電圧Ｖの値が大きくなるほど、その発光輝度Ｌｔが大きくなる特性を有している。
【００１４】
このようなＥＬ素子１１のパッシブ駆動型表示パネル１０において、階調表示を行う方式の１つとして、時間階調制御方式がある。時間階調制御方式とは、ＥＬ素子１１を定電流駆動して発光させると共に、その発光時間を一定時間毎に制御することにより、階調する方式である。ところが、この時間階調制御方式においては、上述したようなＥＬ素子１１が有する容量性に起因して、次のような不都合がある。
【００１５】
パッシブ駆動において、先ず、ＥＬ素子１１の寄生容量Ｃｐに電荷が変位電流として蓄積され、その後に発光が開始されるため、ＥＬ素子１１の寄生容量Ｃｐへの充電（これを「プリチャージ」という。）を実施しないと、ＥＬ素子１１の素子電圧が発光閾値電圧Ｖｔｈまで昇圧するのに時間を要し、ＥＬ素子１１の発光が不十分となる。そのため、時間階調制御方式においては、陰極リセット法等の方法により、ＥＬ素子１１に対して発光開始直前に定電圧や定電流を供給し、ＥＬ素子１１の寄生容量Ｃｐにプリチャージを実施している。
【００１６】
図３（ａ）〜（ｄ）は、特許文献１等に記載された従来の図２の駆動装置における陰極リセット法の動作を示す図であり、同図（ａ）は点灯状態、同図（ｂ）はリセット状態、同図（ｃ）はプリチャージ状態、及び同図（ｄ）は点灯状態を示す図である。図４は、図３の陰極リセット法の模式的なタイムチャートであり、ｔ０は図３（ｂ）のリセット開始時刻、ｔ１は図３（ｂ）のリセット終了後に短時間に行われる図３（ｃ）のプリチャージ開始及び終了付近の時刻である。
【００１７】
図２の表示パネル１０において、例えば、陽極線ＣＬ０及び陰極線ＲＬ０に接続されたＥＬ素子１１−００が発光駆動されている図３（ａ）の状態から、次の走査において、陽極線ＣＬ０及び陰極線ＲＬ１に接続されたＥＬ素子１１−０１が発光駆動される図３（ｄ）の状態までの陰極動作を説明する。
【００１８】
図３（ａ）の点灯（Lighting）時において、ＥＬ素子１１−００を発光駆動する場合は、陽極ドライバ２０のドライブスイッチ２２−０を定電流源２１−０側の高レベル（以下「“Ｈ”」という。）に切り替え、陰極ドライバ３０の走査スイッチ３１−０をＧＮＤ側の低レベル（以下「“Ｌ”」という。）に切り替えて陰極線ＲＬ０を走査すると共に、それ以外の走査スイッチ３１−１〜３１−ｎを逆バイアス電圧Ｖ２側の“Ｈ”に切り替えて陰極線ＲＬ１〜ＲＬｎを非走査状態にする。定電流源２１−０→ドライブスイッチ２２−０→陽極線ＣＬ０→ＥＬ素子１１−００→陰極線ＲＬ０→走査スイッチ３１−０→ＧＮＤの経路で駆動電流が流れ、ＥＬ素子１１−００が発光すると共に、この寄生容量Ｃｐが充電（チャージ）される。
【００１９】
図３（ｂ）のリセット（Reset）時において（図４の時刻ｔ０）、全ドライブスイッチ２２−０〜２２−ｍ（＝全陽極線ＣＬ０〜ＣＬｍ）及び全走査スイッチ３１−０〜３１−ｎ（＝陰極線ＲＬ０〜ＲＬｎ）をＧＮＤ側の“Ｌ”に切り替えると（なお、全ドライブスイッチ２２−０〜２２−ｍは時刻ｔ０以前にＧＮＤ側に切り替えておいても良い。）、各ＥＬ素子１１−００〜１１−０ｎの寄生容量Ｃｐに蓄積された電荷が、陰極線ＲＬ０〜ＲＬｎ→走査スイッチ３１−０〜３１−ｎ→ＧＮＤの経路で放電（ディスチャージ）される。又、陽極線ＣＬ０等の配線容量に蓄積された電荷が、ドライブスイッチ２２−０→ＧＮＤの経路で放電され、リセット動作が終了する（図４の時刻ｔ１の前）。
【００２０】
図３（ｃ）のプリチャージ（Pre-Charge）時において（図４の時刻ｔ１の直前付近）、次の陰極線ＲＬ１を走査してＥＬ素子１１−０１を発光させるために、同時タイミングにて全ドライブスイッチ２２−０〜２２−ｍ（＝全陽極線ＣＬ０〜ＣＬｍ）を定電流源２１−０〜２１−ｍ側の“Ｈ”に切り替えると共に、走査スイッチ３１−１（＝陰極線ＲＬ１）のみをＧＮＤ側の“Ｌ”に保持したまま、他の走査スイッチ３１−０，３１−２〜３１−ｎ（＝陰極線ＲＬ０，ＲＬ１〜ＲＬｎ）を逆バイアス電圧Ｖ２側の“Ｈ”に切り替える。
【００２１】
すると、短時間に、定電流源２１−０→ドライブスイッチ２２−０→陽極線ＣＬ０→ＥＬ素子１１−０１の寄生容量Ｃｐ→陰極線ＲＬ１→走査スイッチ３１−１→ＧＮＤの経路で駆動電流が流れると共に、他のＥＬ素子１１−００，１１−０２〜１１−ｎの寄生容量Ｃｐに蓄積された電荷が、陽極線ＣＬ０→ＥＬ素子１１−０１の寄生容量Ｃｐ→陰極線ＲＬ１→走査スイッチ３１−１→ＧＮＤの経路で放電する。これにより、次に発光されるＥＬ素子１１−０１の寄生容量Ｃｐが急速にプリチャージされる（図４の時刻ｔ１付近）。
【００２２】
その後、図３（ｄ）の点灯（Lighting）時において、定電流源２１−０から陽極線ＣＬ０へ供給される駆動電流により、ＥＬ素子１１−０１の順方向電圧が瞬時に立ち上がって発光する。
【発明の開示】
【発明が解決しようとする課題】
【００２３】
しかしながら、従来のパッシブ駆動型表示パネルの駆動装置における陰極リセット方法では、次の（ａ）〜（ｃ）のような課題があった。
【００２４】
（ａ）  スキャン対象となっている陰極線ＲＬ（以下これを「スキャンライン」という。）外の陰極ドライバ出力の“Ｈ”への同時変化により、スキャンラインに定電流駆動電圧以外の寄生容量の過剰な電荷が流れ込み、急速に駆動する寄生容量をプリチャージする。ところが、黒表示において、本来“Ｈ”になるべきではない陽極線ＣＬの電位が上昇することにより、駆動すべきでない陽極ドライバ２０に瞬間的に電流が流れ、黒表示が薄く光る擬似発光が発生するという課題があった。
【００２５】
（ｂ）  陽極ドライバ２０の電圧に対し、陰極ドライバ３０の電圧を閾値電圧Ｖｔｈを超えないよう低い電圧で駆動する方法もあるが、別電圧を生成する必要があり、回路構成としてより複雑なものとなり、駆動装置の回路規模が大きくなるという課題があった。
【００２６】
（ｃ）  前記（ａ）、（ｂ）のいずれの方法であっても、ＥＬ素子１１の寄生容量のプリチャージ電圧を、必要な電圧や電流への設定制御が不可能か、あるいは、可能であっても駆動装置の複雑化や回路規模の増大化を招くものであった。
【課題を解決するための手段】
【００２７】
本発明の表示パネルの駆動方法は、複数のデータ線と複数の走査線との各交点に表示素子が接続された表示パネルに対して、データ線駆動回路の出力電圧を前記データ線に印加すると共に、走査線駆動回路において前記走査線を“Ｈ”から“Ｌ”に切り替え、前記データ線から前記表示素子を介して前記走査線に駆動電流を流すことにより、前記表示素子を点灯させる表示パネルの駆動方法であって、選択された前記走査線に接続された前記表示素子の寄生容量をプリチャージする工程において、前記複数のデータ線の全てのデータがゼロであることを検出すると、選択された前記走査線も含め、前記走査線の走査時間の間、前記走査線の全てを前記“Ｈ”に切り替えることを特徴とする。
【００２８】
本発明の表示パネルの駆動装置は、複数のデータ線と複数の走査線との各交点に表示素子が接続された表示パネルに対して、前記表示素子の点灯時には、前記データ線に出力電圧を印加して前記表示素子に駆動電流を流し、前記表示素子の非点灯時には、前記データ線を“Ｌ”端子に切り替え接続するデータ線駆動回路と、前記走査線の選択時には、前記走査線を“Ｈ”から“Ｌ”に切り替え、前記走査線の非選択時には、前記走査線を前記“Ｌ”から前記“Ｈ”に切り替える走査線駆動回路と、選択された前記走査線に接続された前記表示素子の寄生容量をプリチャージする工程において、前記複数のデータ線の全てのデータがゼロであることを検出する検出手段と、前記プリチャージする工程において、前記検出手段の検出結果に基づき、選択された前記走査線を含め、前記走査線の走査時間の間、前記走査線の全てを前記“Ｈ”に切り替える制御手段とを有することを特徴とする。
【発明の効果】
【００２９】
本発明の表示パネルの駆動方法及びその駆動装置によれば、陰極リセット法において、複数のデータ線における全データの論理「０」を検出する検出手段と、その検出結果により、走査線駆動回路を当該スキャンラインも含め、当該スキャンライン時間の間、全ラインを“Ｈ”にする制御手段とを設けたので、駆動装置における回路規模の複雑化や回路規模の増大を抑制しつつ、全データ線のデータ黒時、陰極リセット法やスキャンを未実施にする制御が可能となり、不要な寄生容量のプリチャージを防止でき、擬似発光を無くし、且つ消費電力の削減が可能となる。
【発明を実施するための最良の形態】
【００３０】
表示パネルの駆動装置は、複数の陽極線と複数の陰極線との各交点にＥＬ素子が接続された表示パネルに対して、陽極ドライバと陰極ドライバとが接続されている。陽極ドライバは、ＥＬ素子の点灯時には、陽極線に出力電圧を印加してＥＬ素子に駆動電流を流し、ＥＬ素子の非点灯時には、陽極線を“Ｌ”に切り替え接続する。陰極ドライバは、陰極線の選択時には、陰極線を“Ｈ”から“Ｌ”に切り替え、陰極線の非選択時には、陰極線を“Ｌ”から“Ｈ”に切り替える。そして、選択された陰極線に接続されたＥＬ素子の寄生容量をプリチャージする工程において、「０」検出手段により、複数の陽極線の全てのデータがゼロであることを検出する。この検出結果に基づき、制御手段は、選択された陰極線を含め、陰極線ＲＬの走査時間の間、陰極線の全てを“Ｈ”に切り替える。
【実施例１】
【００３１】
（実施例１の構成）
図１は、本発明の実施例１におけるパッシブ駆動型表示パネルの駆動装置を示す概略の構成図である。
【００３２】
パッシブ駆動型表示パネル４０は、従来と同様に、複数の陽極線ＣＬ（＝ＣＬ０，ＣＬ１，ＣＬ２，・・・，ＣＬｍ−１，ＣＬｍ）と複数の陰極線ＲＬ（＝ＲＬ０，ＲＬ１，ＲＬ２，・・・，ＲＬｎ−１，ＲＬｎ）とがマトリクス状に配置され、その各交点位置に自発光素子である例えばＥＬ素子４１（＝４１−００，４１−０１，・・・）がそれぞれ接続されている。各ＥＬ素子４１には、これと並列に寄生容量Ｃｐが結合している。
【００３３】
このような表示パネル４０において、例えば、陽極線ＣＬをデータ線とし、陰極線ＲＬを走査線とした場合、これらを駆動する駆動装置は、データ線駆動回路である陽極ドライバ５０と、走査線駆動回路である陰極ドライバ６０とを備えている。
【００３４】
陽極ドライバ５０は、電源電圧Ｖｃｃｃが印加されて動作する駆動源である定電流回路５１と、各陽極線ＣＬを選択する複数のドライブスイッチ５３（＝５３−０，５３−１，５３−２，・・・，５３−ｍ−１，５３−ｍ）とを有している。定電流回路５１は、複数の定電流源５２（＝５２−０，５２−１，５２−２，・・・，５２−ｍ−１，５２−ｍ）により構成されている。各ドライブスイッチ５３は、タイミング制御回路７０、陽極データ転送回路８１、及び陽極ドライバ制御回路８３により、各陽極線ＣＬと各定電流源５２又は接地電圧ＶｓｓｈのＧＮＤとを切り替え接続するスイッチ素子である。
【００３５】
陰極ドライバ６０は、各陰極線ＲＬを順に走査する複数の走査スイッチ６１（＝６１−０，６１−１，６１−２，・・・，６１−ｎ−１，６１−ｎ）を有し、各走査スイッチ６１は、タイミング制御回路７０、陰極データ転送回路８２、及び陰極ドライバ制御回路８４により、各陰極線ＲＬと逆バイアス電圧Ｖｃｃｒ又は接地電圧ＶｓｓｈのＧＮＤとを切り替え接続するスイッチ素子である。
【００３６】
なお、図１では、図面を見やすくするために便宜的に、陽極ドライバ５０、定電流回路５１、及び陰極ドライバ６０のブロック図が左側に描かれ、これらの各ブック図の回路図が右側に描かれている。
【００３７】
タイミング制御回路７０は、制御回路（例えば、中央処理装置（以下「ＣＰＵ」という。）に対するＣＰＵインタフェース６９を介してそのＣＰＵとの間で制御信号等の授受を行い、内部の図示しない制御手段と、陽極全データが黒となる論理「０」を検出する検出手段（例えば、「０」検出手段）７０ａ等とから、複数の陰極制御信号Ｓ７０の出力、プリチャージタイミングや時間階調タイミング等の各種タイミング信号の出力、及び画像処理等を行う回路である。このタイミング制御回路７０には、タイミングの制御を行うための定電流回路５１、陽極データ転送回路８１、陰極データ転送回路８２、陽極ドライバ制御回路８３、及び陰極ドライバ制御回路８４が接続されている。前記複数の陰極制御信号Ｓ７０には、例えば、陽極データ転送回路８１に対する制御信号Ｓ７０ａ、陰極データ転送回路８２に対する制御信号Ｓ７０ｂ、陽極ドライバ制御回路８３に対する制御信号Ｓ７０ｃ、陰極ドライバ制御回路８４に対する制御信号Ｓ７０ｄ、及び定電流回路５１に対する制御信号Ｓ７０ｅがある。
【００３８】
陽極データ転送回路８１は、タイミング制御回路７０から供給される制御信号Ｓ７０ａ、及び陽極データ等を入力し、この陽極データ等をラッチ回路に取り込んでシフトレジスタ等によって転送する回路であり、この出力側に陽極ドライバ制御回路８３が接続されている。陰極データ転送回路８２は、タイミング制御回路７０から供給される制御信号Ｓ７０ｂ、及び陰極線走査データ等を入力し、この陰極線走査データ等をラッチ回路に取り込んでシフトレジスタ等によって転送する回路であり、この出力側に陰極ドライバ制御回路８４が接続されている。
【００３９】
陽極ドライバ制御回路８３は、タイミング制御回路７０から供給される制御信号Ｓ７０ｃを入力すると共に、陽極データ転送回路８１から供給される陽極データ等を入力し、陽極ドライバ５０のディスチャージ、プリチャージ、階調タイミング等を制御する回路である。陰極ドライバ制御回路８４は、タイミング制御回路７０から供給される制御信号Ｓ７０ｄを入力すると共に、陰極データ転送回路８２から供給される陰極線走査データ等を入力し、陰極ドライバ６０のディスチャージ、プリチャージ、掃引タイミング、非掃引タイミング等を制御する回路である。この陰極ドライバ制御回路８４内には、タイミング制御回路７０内の「０」検出手段７０ａの検出結果に基づき、陰極ドライバ６０を当該スキャンラインも含めて当該スキャンライン時間の間、全ライン“Ｈ”にする制御手段８４ａも設けられている。
【００４０】
タイミング制御回路７０、陽極データ転送回路８１、陰極データ転送回路８２、陽極ドライバ制御回路８３、及び陰極ドライバ制御回路８４には、駆動用の電源電圧Ｖｄｄ、及び接地電圧Ｖｓｓが印加されている。
【００４１】
（実施例１の表示パネルの駆動方法）
図５は、図１の駆動装置の陰極リセット法における陽極電圧制御の陰極動作を示す模式的なタイムチャートであり、ｔ０はリセット開始時刻、ｔ１はリセット終了後に短時間に行われるプリチャージ開始及び終了付近の時刻である。
【００４２】
図１の表示パネル４０において、例えば、陽極線ＣＬ０及び陰極線ＲＬ０に接続されたＥＬ素子４１−００が発光駆動されている状態から、次の走査において、陽極線ＣＬ０及び陰極線ＲＬ１に接続されたＥＬ素子４１−０１が発光駆動される状態までの陰極動作を説明する。
【００４３】
表示パネル４０を駆動する場合は、図示しないＣＰＵから送られてくるデータや制御信号をＣＰＵインタフェース６９を介してタイミング制御回路７０に入力する。タイミング制御回路７０では、陰極制御信号Ｓ７０（＝Ｓ７０ａ〜Ｓ７０ｅ）の出力、プリチャージタイミングや時間階調タイミング等の各種タイミング信号の出力、及び画像処理等を行い、駆動装置全体のタイミング制御を行う。
【００４４】
タイミング制御回路７０から出力された陽極データ及び陰極データ等のうち、陽極データ等は、陽極データ転送回路８１を介して陽極ドライバ制御回路８３へ転送され、この陽極ドライバ制御回路８３により、陽極ドライバ５０中のドライブスイッチ５３−０〜５３−ｍの切り替え制御が行われる。タイミング制御回路７０から出力された陰極データ等は、陰極データ転送回路８２を介して陰極ドライバ制御回路８４へ転送され、この陰極ドライバ制御回路８４により、陰極ドライバ６０中の走査スイッチ６１−０〜６１−ｎの切り替え制御が行われる。又、タイミング制御回路７０によってタイミング制御される定電流回路５１により、定電流源５２−０〜５２−ｍから一定の駆動電流が出力される。
【００４５】
例えば、図１の点灯（Lighting）時において、ＥＬ素子４１−００を発光駆動する場合は、陽極ドライバ５０のドライブスイッチ５３−０（＝陽極線ＣＬ０）が定電流源５２−０側の“Ｈ”に切り替えられ、陰極ドライバ６０の走査スイッチ６１−０（＝陰極線ＲＬ０）がＧＮＤ側の“Ｌ”に切り替えられて陰極線ＲＬ０が走査されると共に、それ以外の走査スイッチ６６１−１〜６１−ｎ（＝陰極線ＲＬ１〜ＲＬｎ）が逆バイアス電圧Ｖｃｃｒ側の“Ｈ”に切り替えられて陰極線ＲＬ１〜ＲＬｎが非走査状態になる。これにより、定電流源５２−０→ドライブスイッチ５３−０→陽極線ＣＬ０→ＥＬ素子４１−００→陰極線ＲＬ０→走査スイッチ６１−０→ＧＮＤの経路で駆動電流が流れ、ＥＬ素子４１−００が発光すると共に、この寄生容量Ｃｐが充電（チャージ）される。
【００４６】
図１のリセット（Reset）時において（図５の時刻ｔ０）、タイミング制御回路７０から出力される陰極制御信号Ｓ７０の制御により、全ドライブスイッチ５３−０〜５３−ｍ（＝全陽極線ＣＬ０〜ＣＬｍ）がＧＮＤ側の“Ｌ”に切り替えられると共に、全走査スイッチ６１−０〜６１−ｎ中の走査スイッチ６１−１（＝陰極線ＲＬ１）を含めたＬ個（２≦Ｌ＜ｎ＋１）の走査スイッチ６１（＝陰極線ＲＬ）のみがＧＮＤ側の“Ｌ”に切り替えら、これらに接続されたＥＬ素子４１の寄生容量Ｃｐに蓄積された電荷が、そのＬ個の走査スイッチ６１を介してＧＮＤ側に放電される。又、陽極線ＣＬ０等の配線容量に蓄積された電荷が、ドライブスイッチ５３−０→ＧＮＤの経路で放電され、リセット動作が終了する（図５の時刻ｔ１の前）。なお、全ドライブスイッチ５３−０〜５３−ｍは時刻ｔ０以前にＧＮＤ側に切り替えておいても良い。
【００４７】
図１のプリチャージ（Pre-Charge）時において（図５の時刻ｔ１の直前付近）、次の陰極線ＲＬ２を走査してＥＬ素子４１−０１を発光させるために、ドライブスイッチ５３−０が定電流源５２−０側の“Ｈ”に切り替えられると共に、タイミング制御回路７０から出力される陰極制御信号Ｓ７０の制御により、全走査スイッチ６１−０〜６１−ｎ中の走査スイッチ６１−１（＝陰極線ＲＬ１）を含めたＬ個（２≦Ｌ＜ｎ＋１）の走査スイッチ６１（＝陰極線ＲＬ）のみがＧＮＤ側の“Ｌ”に保持されたまま、他の（ｎ＋１−Ｌ）個の走査スイッチ６１が逆バイアス電圧Ｖｃｃｒ側の“Ｈ”に切り替えられる。すると、短時間に、定電流源５３−０→ドライブスイッチ５３−０→陽極線ＣＬ０→ＥＬ素子４１−０１の寄生容量ＣＬｐ→陰極線ＲＬ１→走査スイッチ６１−１→ＧＮＤの経路で駆動電流が流れると共に、他の（Ｌ−１）個のＥＬ素子４１−００，・・・の寄生容量Ｃｐに蓄積された電荷が、陽極線ＣＬ０→ＥＬ素子４１−０１の寄生容量Ｃｐ→陰極線ＲＬ１→走査スイッチ６１−１→ＧＮＤの経路で放電する。これにより、次に発光されるＥＬ素子４１−０１の寄生容量Ｃｐが急速に充電される（図５の時刻ｔ１付近）。
【００４８】
その後、図１の点灯（Lighting）時において、定電流源５２−０から陽極線ＣＬ０へ供給される駆動電流により、ＥＬ素子４１−０１の順方向電圧が瞬時に立ち上がって発光する。
【００４９】
以上のように、ＣＰＵインタフェース６９を介して、陰極リセット法設定時、図４に示すように、陰極ドライバＲＬ  を“Ｈ”や“Ｌ”にする制御やデータ信号を、タイミングコントローラ７０と陰極データ転送回路８２又は陰極ドライバ制御回路８４に設けることにより、陰極ドライバ６０と陽極ドライバ５０の出力全てを同時に“Ｌ”とすることより、寄生容量のプリチャージを実施する。このように制御することにより、陽極ドライバ５０の出力開始時の陽極出力電圧を、図４に示すように、陽極駆動電圧であるＶｆ付近に設定する。
【００５０】
図６は、図１の陽極データ「０」時における陰極リセット法制御動作を示すタイミングチャートである。
【００５１】
陰極リセット法において時刻ｔ０のリセット開始時、時刻ｔ１前のリセット終了時、及び時刻ｔ１付近のプリチャージ時に、陽極データの全データが黒色となる「０」の場合、タイミング制御回路７０内の「０」検出手段７０ａをアサー卜し（有効にし）、陰極ドライバ制御回路８４内の制御手段８４ａにより、陰極ドライバ６０の出力である当該スキャンラインも含めた全ラインを、当該スキャンライン時間の間、全ラインを“Ｈ”に設定する。
【００５２】
（実施例１の効果）
本実施例１によれば、陽極データの全データが黒色となる「０」の場合、タイミング制御回路７０内の「０」検出手段７０ａをアサートし、陰極ドライバ制御回路８４内の制御手段８４ａにより、陰極ドライバ６０の出力において、当該スキャンラインも含めた全ラインを、当該スキャンライン時間の間、全ラインを“Ｈ”に設定する構成にしている。これにより、駆動装置における回路規模の複雑化や回路規模の増大を抑制しつつ、全陽極データ黒時、陰極リセット法やスキャンを未実施にする制御が可能となり、不要な寄生容量のプリチャージを防止でき、擬似発光を無くし、且つ消費電力の削減が可能となる。
【００５３】
（変形例）
本発明は、上記実施例に限定されず、種々の利用形態や変形が可能である。この利用形態や変形例としては、例えば、次の（Ａ）、（Ｂ）のようなものがある。
【００５４】
（Ａ）  実施例１の「０」検出手段７０ａは、タイミング制御回路７０内に代えて、陽極データ転送回路８１又は陽極ドライバ制御回路８３内に設けてアサートしても良い。あるいは、制御手段８４ａは、陰極ドライバ制御回路８４内に代えて、タイミング制御回路７０又は陰極データ転送回路８２内に設けて、陰極ドライバ６０の出力において、当該スキャンラインも含めた全ラインを、当該スキャンライン時間の間、全ラインを“Ｈ”に設定する構成にしても良い。これにより、実施例１とほぼ同様の作用効果が得られる。
【００５５】
（Ｂ）  実施例１では、ＥＬ素子４１を用いた表示パネルの駆動装置に適用した例を説明したが、本発明は、液晶パネル（ＬＣＤ）等の平行平板から構成される他のフラットパネルの駆動装置にも適用可能である。
【図面の簡単な説明】
【００５６】
【図１】本発明の実施例１におけるパッシブ駆動型表示パネルの駆動装置を示す概略の構成図である。
【図２】従来のパッシブ駆動型表示パネルの駆動装置における構成例を示す概略の回路図である。
【図３】従来の図２の駆動装置における陰極リセット法の動作を示す図である。
【図４】図３の陰極リセット法の模式的なタイムチャートである。
【図５】図１の駆動装置の陰極リセット法における陽極電圧制御の陰極動作を示す模式的なタイムチャートである。
【図６】図１の陽極データ「０」時における陰極リセット法制御動作を示すタイミングチャートである。
【符号の説明】
【００５７】
４０      表示パネル
４１      ＥＬ素子
５０      陽極ドライバ
５１      定電流回路
５２，５２−０，５２−１，５２−２      定電流源
５３，５３−０，５３−１，５３−２，５４，５４−０，５４−１，５４−２
ドライブスイッチ
６０      陰極ドライバ
６１−０，６１−１，６１−２      走査スイッチ
７０      タイミング制御回路
７０ａ      「０」検出手段
８１      陽極データ転送回路
８２      陰極データ転送回路
８３      陽極ドライバ制御回路
８４      陰極ドライバ制御回路
８４ａ      制御手段
【図１】
2008275733.tif 000003
【図２】
2008275733.tif 000004
【図３】
2008275733.tif 000005
【図４】
2008275733.tif 000006
【図５】
2008275733.tif 000007
【図６】
2008275733.tif 000008